(57)【特許請求の範囲】
【請求項１】
内視鏡部から入力される映像信号に基いて画像を表示する表示手段と、設定情報に基づいて前記表示手段の画像表示動作を制御する第１制御手段と、前記設定情報を設定する設定手段とを備えた電子内視鏡装置において、
記憶手段と、パスワード入力手段と、パスワード判定手段と、第２制御手段とを備え、
前記記憶手段は、登録パスワードと前記設定情報を互いに対応付けて記憶するように構成され、
前記パスワード入力手段は、パスワードを前記パスワード判定手段に入力するように構成され、
前記パスワード判定手段は、前記パスワード入力手段から入力された前記パスワードと前記記憶手段に記憶されている前記登録パスワードとを比較して一致するか否かを判定するように構成され、
前記第２制御手段は、前記パスワード判定手段が肯定の判定をしたときに、前記パスワードと一致した前記登録パスワードに対応する前記設定情報を前記第１制御手段に設定するように構成され、
前記パスワード判定手段が肯定の判定をした場合に、前記第１制御手段に設定されている前記設定情報を前記パスワードに一致した前記登録パスワードに対応させて前記記憶手段に記憶させるか否かの選択を促す旨を前記表示手段に表示させる登録選択表示制御手段と、
前記設定情報の前記記憶手段への記憶を行うか否かを選択する操作を行う登録選択操作手段とを設け、
前記第２制御手段は、前記登録選択操作手段に対して前記設定情報の前記記憶手段への記憶を行うことを選択する操作が行なわれたときに、前記第１制御手段に設定されている前記設定情報の前記記憶手段への記憶を行い、前記登録選択操作手段に対して前記設定情報の前記記憶手段への記憶を行うことを選択する操作が行なわれないときに、前記第１制御手段に設定されている前記設定情報の前記記憶手段への記憶を行わない、
ことを特徴とする電子内視鏡装置。
【請求項２】
前記登録パスワードに対応する前記設定情報の前記第１制御手段への再設定を指示するための再設定操作手段を設け、
前記第２制御手段は、前記登録選択操作手段に対して前記設定情報の前記記憶手段への記憶を行うことを選択する操作が行なわれない場合に、前記パスワード判定手段によって前記パスワード入力手段から入力された前記パスワードと前記記憶手段に記憶されている前記登録パスワードとが一致すると判定されている状態で前記再設定操作手段が操作されたときに、前記パスワードと一致した前記登録パスワードに対応する前記設定情報を前記第１制御手段に再設定するように構成されている、
ことを特徴とする請求項１記載の電子内視鏡装置。
【請求項３】
前記第２制御手段は、前記パスワード判定手段が前記パスワードと前記登録パスワードが不一致であると判定したときに、所定の標準設定情報を前記第１制御手段に設定するように構成されていることを特徴とする請求項１記載の電子内視鏡装置。
【請求項４】
前記第２制御手段は、前記パスワード入力手段に前記パスワードが入力されなかったときに、所定の標準設定情報を前記第１制御手段に設定するように構成されていることを特徴とする請求項１または２記載の電子内視鏡装置。
【請求項５】
設定された設定情報に基づいて動作を行う電子内視鏡装置であって、
前記設定情報を設定する際の操作モードが通常設定モードと特殊設定モードに切り換えられるように構成され、前記通常設定モードは前記設定情報のうち、通常動作時に設定される第１設定情報の設定操作のみを可能に構成され、前記特殊モードは前記設定情報のうち、保守作業時等に設定される第２設定情報の設定操作を可能に構成された電子内視鏡装置において、
記憶手段と、パスワード入力手段と、パスワード判定手段と、モード制御手段とを設け、
前記記憶手段はメンテナンス用パスワードを記憶するように構成され、
前記パスワード入力手段はパスワードを前記パスワード判定手段に入力するように構成され、
前記パスワード判定手段は前記パスワード入力手段から入力された前記パスワードと前記記憶手段に記憶されている前記メンテナンス用パスワードとを比較して一致するか否かを判定するように構成され、
前記モード制御手段は前記パスワード入力手段による前記パスワードの前記パスワード判定手段への入力が行われないとき、または、前記パスワード判定手段が否定の判定をしたときに前記操作モードを前記通常設定モードに切り換えるように構成され、前記パスワード判定手段が肯定の判定をしたときに前記操作モードを前記特殊設定モードに切り換えるように構成されていることを特徴とする電子内視鏡装置。
【請求項６】
内視鏡部から入力される映像信号に基づいて画像を表示する表示手段と、前記設定情報に基づいて前記表示手段の画像表示動作を制御する第１制御手段と、前記設定情報を設定する設定手段とを備え、前記設定手段は前記通常設定モードの際に前記第１設定情報の設定を行い、かつ、前記特殊設定モードの際に前記第２設定情報の設定を行うように構成されていることを特徴とする請求項５記載の電子内視鏡装置。
【発明の詳細な説明】
【０００１】
【発明の属する技術分野】
本発明は電子内視鏡装置に関する。
【０００２】
【従来の技術】
電子内視鏡装置は、内視鏡部と、本体装置部と、周辺装置部とを備えて構成されている。
内視鏡部は、本体装置部から供給される照明光によって体腔内を照明すると共に、ＣＣＤなどの撮像素子によって体腔内を撮影するようになっている。内視鏡部には内視鏡回路が設けられており、内視鏡回路によって撮像素子の信号処理などが行われるようになっている。
本体装置部は、内視鏡部に照明光を与えると共に、内視鏡回路に電力を供給するようになっている。
周辺装置部は、例えば内視鏡部によって撮影された画像を表示するためのＣＲＴなどモニタや上記画像を印刷するプリンタなどから構成されている。
そして、本体装置部と内視鏡部はコネクタを介して接続され、映像信号などの電気信号が内視鏡回路から本体装置部に与えられると共に、本体装置部から内視鏡回路に電力が供給されるようになっている。また、本体装置部と周辺装置部はコネクタを介して接続され、本体装置部から周辺装置部に映像信号などの電気信号が授受されるようになっている。
また、前記表示装置の画像表示動作の状態、例えば色バランスの度合い、明るさの度合い、画像強調の度合いなどの設定は本体装置部に対して所定の操作を行うことで任意に調整できるように構成されている。
画像表示動作の設定は電子内視鏡装置の電源をオフされても内蔵のメモリに保存されるようになっており、次に電子内視鏡の電源をオンしたときに上記メモリに保存されている設定で画像表示動作が行われるように構成されている。
【０００３】
また、通常動作では設定する必要がなく、保守作業時等の特殊な場合に設定される特殊な設定情報、例えば画像表示のガンマ値や色調等の設定情報の設定操作は、電子内視鏡装置の操作モードを通常設定モードとは異なる特殊設定モードに切り換えることによって行うことができるようになっている。
ところで、操作モードの特殊設定モードへの切り換えが容易な操作で行えるようになっていると、電子内視鏡装置を通常利用している利用者が操作モードを特殊設定モードに切り換えてしまい、特殊な設定情報を誤って設定（変更）してしまうおそれがある。
このため、操作モードを通常設定モードから特殊設定モードに切り換えるためには、利用者が容易に行うことのできない特殊な作業を行うようにしている。例えば、本体装置部の筐体内部に配設されているマイクロコンピュータを含む回路基板に実装されているＲＯＭを保守作業用のＲＯＭと交換すると、マイクロコンピュータのＣＰＵが保守作業用のＲＯＭに格納されているデータに基づいて、電子内視鏡の操作モードを通常設定モードから特殊設定モードに切り換えるようになっている。
【０００４】
【発明が解決しようとする課題】
上述した前者のように、画像表示動作の設定が電子内視鏡装置に保存される電子内視鏡装置では、この電子内視鏡装置を複数の利用者が用いる場合に次のような不都合があった。
例えば、ある利用者が画像表示動作の設定を調整して電子内視鏡装置を使用した後、電源をオフにし、次に、別の利用者が電源をオンして画像表示動作の設定を変更して電源をオフしたとすると、別の利用者によって変更された設定が電子内視鏡装置に保存される。
ここで、再び最初の利用者が電源をオンして電子内視鏡装置を使用しようとすると、当然別の利用者によって変更された設定に基づいて画像表示動作が行われる。このため、最初の利用者は設定変更がなされたことに気がつかず、電子内視鏡装置の画像表示動作に異常が生じたのではないかと考えてとまどう不都合があった。
また、画像表示動作の設定が電子内視鏡装置に保存されないようにした場合には、上記の不都合は生じないが、電子内視鏡を使用する毎、設定を行わなくてはならないという問題がある。
一方、上述した後者のように、操作モードを通常設定モードから特殊設定モードに切り換えるために特殊な作業を行うことが必要な電子内視鏡装置では、通常利用している利用者が誤って特殊な設定情報を変更してしまうことが防止される反面、保守作業の際に本体装置部の筐体を分解して内部の回路基板を取り出すといった煩雑で時間のかかる作業が必要となる欠点があった。
すなわち、従来の電子内視鏡装置は、通常の利用時における操作も、保守作業時に行う特殊設定モード下における操作も面倒で手間がかかるという問題があった。
本発明は前記事情に鑑み案出されたものであって、本発明の目的は、通常の利用時および保守作業時における操作を容易に行うことができる電子内視鏡装置を提供することにある。
【０００５】
【課題を解決するための手段】
前記目標を達成するため、本発明は、内視鏡部から入力される映像信号に基いて画像を表示する表示手段と、設定情報に基づいて前記表示手段の画像表示動作を制御する第１制御手段と、前記設定情報を設定する設定手段とを備えた電子内視鏡装置において、記憶手段と、パスワード入力手段と、パスワード判定手段と、第２制御手段とを備え、前記記憶手段は、登録パスワードと前記設定情報を互いに対応付けて記憶するように構成され、前記パスワード入力手段は、パスワードを前記パスワード判定手段に入力するように構成され、前記パスワード判定手段は、前記パスワード入力手段から入力された前記パスワードと前記記憶手段に記憶されている前記登録パスワードとを比較して一致するか否かを判定するように構成され、前記第２制御手段は、前記パスワード判定手段が肯定の判定をしたときに、前記パスワードと一致した前記登録パスワードに対応する前記設定情報を前記第１制御手段に設定するように構成され、前記パスワード判定手段が肯定の判定をした場合に、前記第１制御手段に設定されている前記設定情報を前記パスワードに一致した前記登録パスワードに対応させて前記記憶手段に記憶させるか否かの選択を促す旨を前記表示手段に表示させる登録選択表示制御手段と、前記設定情報の前記記憶手段への記憶を行うか否かを選択する操作を行う登録選択操作手段とを設け、前記第２制御手段は、前記登録選択操作手段に対して前記設定情報の前記記憶手段への記憶を行うことを選択する操作が行なわれたときに、前記第１制御手段に設定されている前記設定情報の前記記憶手段への記憶を行い、前記登録選択操作手段に対して前記設定情報の前記記憶手段への記憶を行うことを選択する操作が行なわれないときに、前記第１制御手段に設定されている前記設定情報の前記記憶手段への記憶を行わないことを特徴とする。
また、本発明は、前記第２制御手段は、前記パスワード判定手段が前記パスワードと前記登録パスワードが不一致であると判定したときに、所定の標準設定情報を前記第１制御手段に設定するように構成されていることを特徴とする。
また、本発明は、前記第２制御手段は、前記パスワード入力手段に前記パスワードが入力されなかったときに、所定の標準設定情報を前記第１制御手段に設定するように構成されていることを特徴とする。
【０００６】
また、本発明は、前記記憶手段は、前記登録パスワードに対応して利用者の名前を示す利用者名情報を記憶するように構成されており、前記記憶手段に記憶されている前記利用者名情報をリスト形式で前記表示手段に表示させるリスト表示制御手段と、前記表示手段に表示された前記利用者名情報のうちから１つを選択する操作を行う選択操作手段とを設け、前記パスワード判定手段による判定動作は、前記パスワード入力手段から入力された前記パスワードと前記選択操作手段で選択された前記利用者名情報に対応する前記登録パスワードとを比較することによって行われることを特徴とする。
また、本発明は、前記記憶手段は、前記登録パスワードに対応して利用者の名前を示す利用者名情報を記憶するように構成されており、利用者名情報の入力を要求する表示を前記表示手段に表示させる利用者名入力要求表示制御手段と、前記利用者名情報を入力する利用者名入力手段とを設け、前記パスワード判定手段による判定動作は、前記パスワード入力手段から入力された前記パスワードと前記利用者名入力手段から入力された前記利用者名情報に対応する前記登録パスワードとを比較することによって行われることを特徴とする。
また、本発明は、前記選択操作手段はキーボードによって構成されていることを特徴とする。
また、本発明は、前記利用者名入力手段はキーボードによって構成されていることを特徴とする。
また本発明は、前記登録パスワードに対応する前記設定情報の前記第１制御手段への再設定を指示するための再設定操作手段を設け、前記第２制御手段は、前記登録選択操作手段に対して前記設定情報の前記記憶手段への記憶を行うことを選択する操作が行なわれない場合に、前記パスワード判定手段によって前記パスワード入力手段から入力された前記パスワードと前記記憶手段に記憶されている前記登録パスワードとが一致すると判定されている状態で前記再設定操作手段が操作されたときに、前記パスワードと一致した前記登録パスワードに対応する前記設定情報を前記第１制御手段に再設定するように構成されていることを特徴とする。
また、本発明は、前記第２制御手段による前記設定情報の前記記憶手段への記憶は前記設定手段によって前記設定情報が変更されたときに行われることを特徴とする。
また、本発明は、前記パスワード入力手段はキーボードによって構成されることを特徴とする。
【０００７】
また、本発明は、前記設定情報は前記表示手段による画像表示動作の色バランスの度合いを設定する色バランス設定情報または画像強調の度合いを設定する画像強調設定情報の少なくとも一方を含むことを特徴とする。
また、本発明は、前記表示手段には前記画像の他に所定の付加情報が表示されるように構成されており、前記設定情報は前記表示手段に表示される前記画像の表示位置、前記付加情報の表示形式および前記付加情報の表示位置の少なくとも１つを設定する表示形態設定情報を含むことを特徴とする。
また、本発明は、前記付加情報は、前記設定情報の少なくとも一部と、現在日時を示す日時情報と、カラーバーとの少なくとも１つを含むことを特徴とする。
また、本発明は、前記表示手段には前記画像の他に所定の付加情報が表示されるように構成されており、前記設定情報は前記表示手段に表示される前記画像の表示位置、前記付加情報の表示形式および前記付加情報の表示位置の少なくとも１つを設定する表示形態設定情報を含み、前記付加情報は前記利用者名情報を含み、前記利用者名情報は、前記パスワード判定手段によって前記パスワード入力手段から入力された前記パスワードと前記登録パスワードとの比較結果が一致したときに特定される前記登録パスワードに対応する前記利用者名情報であることを特徴とする。
また、本発明は、前記設定手段は、表示面と前記表示面に設けられた複数のタッチスイッチを有するタッチパネルを備え、前記タッチスイッチに対して操作が行われたときに、前記タッチスイッチに対応して設定された操作信号を生成して前記第１制御手段に入力するように構成され、前記設定情報は前記タッチスイッチに割り当てられる前記操作信号の種類を設定するタッチスイッチ設定情報を含み、前記第１制御手段は前記設定情報に含まれる前記タッチスイッチ設定情報に基いて前記タッチスイッチに前記操作信号の種類を割り当てるように構成されていることを特徴とする。
【０００８】
また、本発明は、画像を撮像するための光を前記内視鏡部に供給する光供給手段を有し、前記設定情報は光量設定情報を含み、前記第１制御手段は前記設定情報に含まれる前記光量設定情報に基づいて前記光供給手段から前記内視鏡部に供給される光量を制御するように構成されていることを特徴とする。
また、本発明は、前記光供給手段は、画像を撮像するための光を前記内視鏡部に導くライトガイドケーブルと、前記ライトガイドケーブルに与える光を生成する光源とを備え、前記光量設定情報は前記光源の光量を複数段階に切り換えて設定する光量段階設定情報によって構成されていることを特徴とする。
【０００９】
本発明は、設定された設定情報に基づいて動作を行う電子内視鏡装置であって、前記設定情報を設定する際の操作モードが通常設定モードと特殊設定モードに切り換えられるように構成され、前記通常設定モードは前記設定情報のうち、通常動作時に設定される第１設定情報の設定操作のみを可能に構成され、前記特殊モードは前記設定情報のうち、保守作業時等に設定される第２設定情報の設定操作を可能に構成された電子内視鏡装置において、記憶手段と、パスワード入力手段と、パスワード判定手段と、モード制御手段とを設け、前記記憶手段はメンテナンス用パスワードを記憶するように構成され、前記パスワード入力手段はパスワードを前記パスワード判定手段に入力するように構成され、前記パスワード判定手段は前記パスワード入力手段から入力された前記パスワードと前記記憶手段に記憶されている前記メンテナンス用パスワードとを比較して一致するか否かを判定するように構成され、前記モード制御手段は前記パスワード入力手段による前記パスワードの前記パスワード判定手段への入力が行われないとき、または、前記パスワード判定手段が否定の判定をしたときに前記操作モードを前記通常設定モードに切り換えるように構成され、前記パスワード判定手段が肯定の判定をしたときに前記操作モードを前記特殊設定モードに切り換えるように構成されていることを特徴とする。
また、本発明は、内視鏡部から入力される映像信号に基づいて画像を表示する表示手段と、前記設定情報に基づいて前記表示手段の画像表示動作を制御する第１制御手段と、前記設定情報を設定する設定手段とを備え、前記設定手段は前記通常設定モードの際に前記第１設定情報の設定を行い、かつ、前記特殊設定モードの際に前記第２設定情報の設定を行うように構成されていることを特徴とする。
【００１０】
また、本発明は、前記パスワード入力手段はキーボードから構成されていることを特徴とする。
また、本発明は、操作入力手段と、前記操作入力手段に所定の操作が行われたときに、前記表示手段に前記メンテナンス用パスワードに対応するパスワードの入力を要求するパスワード入力要求表示を行うメンテナンス用パスワード入力要求表示制御手段とを設け、前記パスワード判定手段による判定は、前記パスワード入力要求表示に応じて前記パスワード入力手段から入力された前記パスワードと前記記憶手段に記憶されている前記メンテナンス用パスワードとを比較することで行われることを特徴とする。
また、本発明は、前記操作入力手段がキーボードから構成されていることを特徴とする。
また、本発明は、前記第１設定情報は前記表示手段による画像表示動作の色バランスの度合いを設定する色バランス設定情報または画像強調の度合いを設定する画像強調設定情報の少なくとも一方を含むことを特徴とする。
また、本発明は、画像を撮像するための光を前記内視鏡部に供給する光供給手段を有し、前記第１設定情報は光量設定情報を含み、前記第１制御手段は前記第１設定情報に含まれる前記光量設定情報に基づいて前記光供給手段から前記内視鏡部に供給される光量を制御するように構成されていることを特徴とする。
また、本発明は、前記光供給手段は、画像を撮像するための光を前記内視鏡部に導くライトガイドケーブルと、前記ライトガイドケーブルに与える光を生成する光源とを備え、前記第１設定情報に含まれる前記光量設定情報は前記光源の光量を複数段階に切り換えて設定する光量段階設定情報によって構成され、前記第２設定情報は前記光量段階設定情報によって設定される複数段階の光量を段階毎に設定する個別光量設定情報を含むことを特徴とする。
【００１１】
また、本発明は、前記表示手段には前記画像の他に所定の付加情報が表示されるように構成されており、前記第１設定情報は前記表示手段に表示される前記画像の表示位置、前記付加情報の表示形式および前記付加情報の表示位置の少なくとも１つを設定する表示形態設定情報を含むことを特徴とする。
また、本発明は、前記付加情報は、前記設定情報の少なくとも一部と、現在日時を示す日時情報と、カラーバーとの少なくとも１つを含むことを特徴とする。
また、本発明は、前記第２設定情報は前記表示手段による画像表示動作のガンマ値を設定するガンマ値設定情報または色調の度合いを設定する色調設定情報の少なくとも一方を含むことを特徴とする。
また、本発明は、前記内視鏡部は画像を撮像するための固体撮像素子を有し、前記第２設定情報は前記固体撮像素子による画像取り込み動作時間を設定するシャッタ速度設定情報を含むことを特徴とする。
【００１２】
【発明の実施の形態】
以下、本発明の電子内視鏡装置の実施の形態について説明する。
図１は本発明の第１の実施の形態の電子内視鏡装置の全体構成図、図２は本発明の電子内視鏡装置の第１の実施の形態の構成を示すブロック図、図３はシステムコントロール部の構成を示すブロック図、図４はバッテリーバックアップＲＡＭの記憶内容を示す説明図、図５は設定変更時の表示画面の例を示す説明図、図６は通常時における動作例を説明するフローチャート、図７は標準設定情報が設定された時の表示画面の例を示す説明図、図８は利用者名情報がリスト形式で表示された表示画面の例を示す説明図、図９はパスワード入力要求画面を示す説明図、図１０は登録されていた設定情報が設定された時の表示画面の例を示す説明図、図１１は設定情報の変更動作を示すフローチャートである。
また、図１２はバッテリーバックアップＲＡＭの記憶内容を示す説明図、図１３は特殊設定モードにおける表示画面の例を示す説明図、図１４は特殊設定モードにおけるメンテナンス用設定情報の変更動作を示すフローチャートである。
【００１３】
まず、図１、図２を参照して電子内視鏡装置の概略構成について説明する。
内視鏡装置１０００は、内視鏡部１００、本体装置部２００、モニタ（特許請求の範囲の表示手段に相当）３００、キーボード４００を備えている。
内視鏡部１００は、術者（以下利用者という）が操作する操作部１０２、この操作部１０２の延在方向の一端から突設され患者の体腔内に挿入される可撓管１０４、操作部１０２の延在方向の他端から突設されたランプガイドケーブル１０６、ランプガイドケーブル１０６の端部に設けられ本体装置部２００に接続される内視鏡部側コネクタ部１０８を有している。
【００１４】
可撓管１０４の先端部にはＣＣＤ１１０が設けられ、内視鏡部側コネクタ部１０８にはＣＣＤ１１０を駆動しＣＣＤ１１０から出力される映像信号を処理するための信号処理回路１１２が設けられている。
内視鏡部側コネクタ部１０８は、本体装置部２００に設けられている内視鏡部接続用コネクタ部（不図示）に接続された状態で、信号処理回路１１２から出力される映像信号を本体装置部２００の信号処理部２０８に入力すると共に、本体装置部２００の電源部（不図示）から供給される電源を信号処理回路１１２に入力する電気コネクタ部を有している。また、内視鏡部側コネクタ部１０８は、本体装置部２００の内視鏡部接続用コネクタ部に接続された状態で、本体装置部２００のランプ２０２により発生される照明光を入力してランプガイドケーブル１０６に導く光コネクタ部を有している。
【００１５】
本体装置部２００は、ランプ２０２、絞り機構２０３、フロントパネル２０４、ペリフェラルコントロール部２０６、タイミングコントロール部２０７、システムコントロール部２１０などを備えている。
ランプ２０２は前述したように内視鏡部１００に供給する照明光を発生する光源を構成するものである。なお、光源は本体装置部に内蔵される場合と、本体装置部とは別体に設けられる場合もある。
絞り機構２０３は、ランプ２０２と該ランプ２０２から発生する光をライトガイドケーブル１０６に導く光コネクタ部との間に配設され、ランプ２０２の光量を調整するように構成されている。この絞り機構２０３は後述するシステムコントロール部２１０からペリフェラルコントロール部２０６を介して入力される制御信号に基づいて絞り機構の大きさを変化させることでライトガイドケーブル１０６に導かれる光量を調整する構成となっている。すなわち、ランプ２０２と絞り機構２０３によって特許請求の範囲の光供給手段が構成されている。
フロントパネル２０４は本体装置部２００に対する操作を行うための表示面２０４Ａと、この表示面２０４Ａに設けられた複数のタッチスイッチ２０４Ｂを備えたいわゆるタッチパネルによって構成されており、タッチスイッチ２０４Ｂの操作によって生成された操作信号をシステムコントロール部２１０に入力すると共に、システムコントロール部２１０からの制御情報に基づいて操作に必要な表示情報を表示面に表示するように構成されている。
【００１６】
ペリフェラルコントロール部２０６は、システムコントロール部２１０の制御に基いて、上述した絞り機構２０３を含む周辺装置と信号を授受して制御を行うように構成されている。
信号処理部２０８は信号処理回路１１２から入力された映像信号に基づいてＲＧＢ信号、Ｙ／Ｃ信号、ＮＴＳＣ信号を生成し、これら各信号をコネクタ２０９Ａ、２０９Ｂ、２０９Ｃに出力するように構成されている。モニタ３００は、これらコネクタ２０９Ａ、２０９Ｂ、２０９Ｃの何れかに接続され、ＲＧＢ信号、Ｙ／Ｃ信号、ＮＴＳＣ信号の何れかの信号に基づいて内視鏡部１００のＣＣＤ１１０によって撮像された画像を表示するように構成されている。
タイミングコントロール部２０７は、信号処理部２０８の動作のうち、モニタ３００に対する画像表示動作を制御するように構成されており、例えばモニタ３００の画面上における画像の表示位置の制御を行うものであり、画像メモリなどを具備している。
【００１７】
システムコントロール部２１０は後述するようにマイクロコンピュータによって構成されており、ランプ２０２、絞り機構２０３、フロントパネル２０４、ペリフェラルコントロール部２０６、タイミングコントロール部２０７、信号処理部２０８の制御を行うように構成されている。
また、本体装置部２００にはコネクタ２１２を介してキーボード４００が接続可能に設けられており、キーボード４００からの操作信号をシステムコントロール部２１０に入力することで、フロントパネル２０４での操作と同様の操作をキーボード４００で行うことができるように構成されている。また、後述するように、パスワードなどの情報をシステムコントロール部２１０に入力するように構成されている。すなわち、キーボード４００によって特許請求の範囲のパスワード入力手段が構成されている。
モニタ３００は、本体装置部２００とケーブル３０１を介して接続されており、このケーブル３０１を経由して入力される信号に基いて、内視鏡部１００で撮像された画像や後述する付加情報を画面３０２に表示するように構成されている。
キーボード４００は、本体装置部２００とケーブル４０１を介して接続されており、本体装置部２００のシステムコントロール部２１０に情報を入力するように構成されている。キーボード４００は、例えば、英字、数字、ひらかな、カタカナ、記号などを入力するためのアルファニューメリックキー、数字を入力するためのテンキー、特定の機能が割り当てられるファンクションキー、エスケープキーなどの特殊キー、モニタ３００の画面上で反転表示や点滅表示を行っているカーソルを移動させるための矢印キーなどを備えている。
【００１８】
次に、図３を参照してシステムコントロール部２１０の構成について説明する。
システムコントロール部２１０は、ＣＰＵ２１０Ａ、ＲＯＭ２１０Ｂ、ＲＡＭ２１０Ｃ、バッテリーバックアップされたＲＡＭ２１０Ｄ（以下バッテリーバックアップＲＡＭという）、インターフェース部２１０Ｅなどを備えて構成されている。
【００１９】
ＲＯＭ２１０ＢはＣＰＵ２１０Ａの制御プログラムなどを格納し、ＲＡＭ２１０Ｃはワークエリアなどを提供するものである。バッテリーバックアップＲＡＭ２１０Ｄ（特許請求の範囲の記憶手段に相当）は後述する登録パスワードと利用者名情報と設定情報（特許請求の範囲の第１設定情報に相当）を格納するように構成され、本体装置部２００の電源がオフとなっても記憶内容を保持すると共に、記憶内容を書きかえることができるようになっている。
インターフェース部２１０ＥはＣＰＵ２１０Ａと、前述した各部、すなわち、ランプ２０２、フロントパネル２０４、キーボード２１４、ペリフェラルコントロール部２０６、タイミングコントロール部２０７、信号処理部２０８との間で信号と情報の授受を行うように構成されている。
【００２０】
図４はバッテリーバックアップＲＡＭ２１０Ｄの記憶領域を示す説明図である。
バッテリーバックアップＲＡＭ２１０Ｄには、複数の登録パスワードＤｐｗ（Ｄｐｗ１乃至Ｄｐｗｎ、但しｎは自然数）を記憶する記憶領域Ａ１と、各登録パスワードＤｐｗに対応する利用者名情報Ｄｕｎ（Ｄｕｎ１乃至Ｄｕｎｎ、但しｎは自然数）を記憶する記憶領域Ａ２と、各登録パスワードＤｐｗに対応する設定情報Ｄｓｄ（Ｄｓｄ１乃至Ｄｓｄｎ、但しｎは自然数）を記憶する記憶領域Ａ３とがテーブル形式で設けられている。
つまり、登録パスワードＤｐｗと、利用者名情報Ｄｕｎと、設定情報Ｄｓｄとが対応してバッテリーバックアップＲＡＭ２１０Ｄに記憶されるようになっている。
【００２１】
登録パスワードＤｐｗは、この電子内視鏡装置１０００を利用する利用者に対して割り当てられた情報である。利用者名情報Ｄｕｎはこの電子内視鏡装置１０００を利用する利用者の名前であり、登録パスワードＤｐｗに対応している。
また、設定情報Ｄｓｄは、上記登録パスワードＤｐｗに対応して設定されており、次述するようにモニタ３００の画像表示動作に関わる設定内容や光供給手段の光量の設定内容を示す情報を含むものである。
なお、上記設定情報Ｄｓｄには、後述する図７に示すモニタ３００における画像の表示位置、付加情報の表示位置や表示形態を示す表示形態設定情報も含まれている。
【００２２】
次に、図５を参照してモニタ３００の画像表示動作に関わる設定内容や光供給手段の光量の設定内容を設定するための設定操作について説明する。
図５は設定変更画面を示している。この設定変更画面は、本体装置部２００のフロントパネル２０４のタッチスイッチ２０４Ｂに所定操作を行って本体装置部２００を通常設定モードにすることで表示されるようになっている。なお、通常設定モードとは、利用者が通常の使用において設定の変更を行うことが可能なモードである。
モニタ３００の表示画面には、画像表示動作に関わる設定内容を示す情報として、モニタ３００の画像強調の度合いを設定する画像強調設定情報Ｄ１を示す「Ｅｎｎｈａｎｃｅｍｅｎｔ」、色バランスの度合いを設定する色バランス設定情報Ｄ２を示す「Ｃｏｌｏｒ  Ｂａｌａｎｃｅ」がそれぞれ表示されるようになっている。
また、モニタ３００の表示画面には、光供給手段の光量の設定内容を示す情報として、ランプ２０２からライトガイドケーブル１０６に導かれる光量を複数の段階で設定する光量段階設定情報Ｄ３を示す「Ｂｒｉｇｈｔｎｅｓｓ」の設定内容が表示されるようになっている。
図５の例では、画像表示動作の画像強調設定情報Ｄ１は「Ｈｉｇｈ」（高）、「Ｍｉｄｄｌｅ」（中）、「Ｌｏｗ」（低）、「Ｏｆｆ」（画像強調無）の４段階を選択して設定できるようになっている。また、色バランス設定情報Ｄ２は「Ｂｌｕｅ」（青色）、「Ｒｅｄ」（赤色）、「Ｇｒｅｅｎ」（緑色）の３色毎に数値で設定できるようになっている。また、光量段階設定情報Ｄ３は数値で設定できるようになっている。
【００２３】
これら画像強調設定情報Ｄ１、色バランス設定情報Ｄ２、光量段階設定情報Ｄ３を含む設定情報の設定は、本体装置部２００のフロントパネル２０４のタッチスイッチを操作することによって変更され、変更された設定情報がシステムコントロール部２１０によってＲＡＭ２１０Ｃに一時的に記憶される。
そして、システムコントロール部２１０は、ＲＡＭ２１０Ｃに記憶された設定情報のうち画像強調設定情報Ｄ１と色バランス設定情報Ｄ２に基づいてモニタ３００の画像表示動作が行われるように信号処理部２０８を制御するように構成されている。
また、システムコントロール部２１０は、ＲＡＭ２１０Ｃに記憶された設定情報に含まれる光量段階設定情報Ｄ３（特許請求の範囲の光量設定情報に相当）に基いて前述した光供給手段の絞り機構を制御してライトガイドケーブル１０６に導かれる光量を複数段階に切り替えて設定するように構成されている。
また、後述する表示形態設定情報の設定も、本体装置部２００のフロントパネル２０４のタッチスイッチ２０４Ｂを操作することによって変更され、変更された設定情報がシステムコントロール部２１０によってＲＡＭ２１０Ｃに一時的に記憶されるようになっている。そして、システムコントロール部２１０は、ＲＡＭ２１０Ｃに記憶された設定情報に含まれる表示形態設定情報に基づいてモニタ３００の画像表示動作が行われるようにタイミングコントロール部２０７と信号処理部２０８を制御するように構成されている。
すなわち、システムコントロール部２１０、タイミングコントロール部２０７、信号処理部２０８によって特許請求の範囲の第１制御手段が構成されている。また、システムコントロール部２１０とフロントパネル２０４によって特許請求の範囲の設定手段が構成されている。なお、フロントパネル２０４の代わりにキーボード４００を用いることも可能であり、この場合には、システムコントロール部２１０とキーボード４００によって特許請求の範囲の設定手段が構成されている。
【００２４】
また、システムコントロール部２１０のＲＯＭ２１０Ｂには、標準的な画像強調設定情報Ｄ１、色バランス設定情報Ｄ２、光量段階設定情報Ｄ３からなるデフォルト値としての標準設定情報が予め格納されている。また、この標準設定情報には、後述する表示形態設定情報のデフォルト値としての標準表示形態設定情報が含まれている。
【００２５】
次に、図６のフローチャートを参照して第１の実施の形態の電子内視鏡装置の動作について説明する。
まず、本体装置部２００のメインスイッチ（不図示）をオンして電子内視鏡装置１０００の電源を投入する（Ｓ１０）。
システムコントロール部２１０のＣＰＵ２１０Ａは、ＲＡＭ２１０Ｃ上において変数ＰＷに“０”を代入して初期設定する（Ｓ１２）。なお、この変数ＰＷは入力されたパスワードと登録パスワードＤｐｗとの照合結果の一致、不一致の状態を示すための変数であり、“０”で照合結果が不一致であることを示し、“１”で照合結果が一致していることを示している。
【００２６】
次いで、システムコントロール部２１０はＲＯＭ２１０Ｂに格納されている標準設定情報のうちの画像強調設定情報Ｄ１および色バランス設定情報Ｄ２に基づいてモニタ３００の画像表示動作が行われるように信号処理部２０８を制御すると共に、上記標準設定情報に含まれる光量段階設定情報Ｄ３に基づいて光供給手段の光量を制御して通常処理を行う（Ｓ１４）。
この通常処理では、図７に示すような画像がモニタ３００に表示される。すなわち、モニタ３００の画面３０２には、内視鏡部１００によって撮像された画像３０４の他に付加情報が表示されている。付加情報は、日時情報３０６、カラーバー３０８、色バランスの設定情報Ｄ１を示す色バランス設定値３１０（Ｒは赤色、Ｂは青色の色バランス設定情報Ｄ１にそれぞれ対応する）などを含むものである。
画像３０４と付加情報の画面３０２上での表示位置および表示形態の設定は、表示形態設定情報に基づいて行なわれる。
図７の表示例では、画像３０４と付加情報の画面３０２上での表示位置および表示形態の設定は、ＲＯＭ２１０Ｂに格納されているデフォルト値としての標準表示形態設定情報に基いて行なわれるようになっている。すなわち、図７に示されているように、画像３０４が画面３０２の左側寄りに位置しており、日時情報３０６が画面３０２の右上箇所に位置している。また、カラーバー３０８が左下箇所に位置し、色バランスの設定情報Ｄ１を示す色バランス設定値３１０が画面３０２の中央の下側箇所に位置している。なお、カラーバー３０８は、色バランス設定情報Ｄ２の設定内容の変更を目視で確認するために表示されるものである。
【００２７】
また、この通常処理においては、フロントパネル２０４のタッチスイッチ２０４Ｂを操作することによって、設定情報（すなわち画像強調設定情報Ｄ１、色バランス設定情報Ｄ２、光量段階設定情報Ｄ３、表示形態設定情報など）の設定を変更することができるようになっている。この設定変更の処理については図１１を参照して後述する。
【００２８】
そして、システムコントローラ部２１０は、キーボード４００からキー入力による割り込みがなされたか否かを判定し（Ｓ１６）、この判定結果が否定であれば通常処理を継続する（Ｓ３２）。キー入力による割り込みがなされた場合には、そのキー入力が利用者リスト（図６ではＤｒ．（ドクター）リストと示す）表示対応のキー入力であるか否かを判定する（Ｓ１８）。この判定結果が否定ならばＳ３２に移行して先と同じ通常処理を継続する。
Ｓ１８の判定結果が肯定ならば、システムコントローラ部２１０は、バッテリーバックアップＲＡＭ２１０Ｄに記憶されている利用者名情報Ｄｕｎを図８に示すようにリスト形式でモニタ３００に表示する（Ｓ２０）。図８において網掛けで示されている部分は反転表示がされているカーソル３１２を示している。
利用者は、自分の名前の箇所にカーソル３１２を移動させて名前が反転表示されるようにキーボード４００の操作キー（例えば矢印キー）を操作し、自分の名前が判定表示されている状態で確定キーを操作することで利用者名情報Ｄｕｎを選択する（Ｓ２２）。
利用者名情報Ｄｕｎが選択されると、図９に示すように、パスワードの入力を要求するパスワード入力画面３１３をモニタ３００に表示させる（Ｓ２４）。
次いで、利用者が自分のパスワードをキーボード４００からキー操作により入力すると、システムコントローラ２１０は、入力されたパスワードと、ステップＳ２２で選択された利用者名情報Ｄｕｎに対応する、バッテリーバックアップＲＡＭ２１０Ｄに記憶されている登録パスワードＤｐｗとを比較する（Ｓ２６）。比較結果が正しい（一致する）場合には、入力された登録パスワードＤｐｗに対応する設定情報Ｄｓｄに基いてモニタ３００の画像表示動作と付加情報表示動作が行われるように信号処理部２０８を制御すると共に、光供給手段の光量を制御する（Ｓ２８）。
この結果、図１０に示すように、モニタ３００の画面３０２には画像３０４と付加情報が設定情報Ｄｓｄの表示形態設定情報に基いた表示位置と表示形態で表示されている。図１０に示されている表示例では、画像３０４が画面３０２のほぼ中央に位置しており、日時情報３０６が画面３０２の右下箇所に位置している。また、カラーバー３０８の表示が省略され、色バランスの設定情報Ｄ１を示す色バランス設定値３１０が画面３０２の左下箇所に位置している。
また、ステップＳ２６によって特定された利用者名情報Ｄｕｎを示す利用者名３１４、すなわち利用者名情報Ｄｕｎとしての利用者名３１４が付加情報として画面３０２の左上箇所に表示されている。
そして、変数ＰＷに“１”を代入して通常処理を行う（Ｓ３２）。
一方、ステップＳ２６で比較結果が正しくない（不一致）の場合には、図９のパスワード入力画面３１３を表示してパスワードの再入力を要求する（Ｓ２７）。
また、ステップＳ２６で処理のキャンセルを示すキー（例えばエスケープキー）が操作された場合には、先に述べた通常処理を継続する（Ｓ３２）。
【００２９】
次に、図１１のフローチャートを参照して設定情報の変更を行う場合の動作について説明する。
まず、本体装置部２００のメインスイッチ（不図示）をオンして電子内視鏡装置１０００の電源を投入する（Ｓ４０）。
そして、先に説明した図６のフローチャートのような処理が行われ通常処理が行われる（Ｓ４２）。
本体装置部２００のフロントパネル２０４のタッチスイッチ２０４Ｂが操作され、モニタ３００に図５に示す設定変更画面が表示される通常設定モードに移行し、この通常設定モードによって画面の色バランス設定情報Ｄ２（図１１では「色バランスのレベル」と表記する）などの設定情報が任意に変更され、変更された設定情報がＲＡＭ２１０Ｃに一時的に保存される（Ｓ４４）。なお、上記設定情報には、画像強調設定情報Ｄ１の他、色バランス設定情報Ｄ２、光量段階設定情報Ｄ３、表示形態設定情報などが含まれている。
次に、システムコントロール部２１０は、変数ＰＷが“１”か否か、すなわちパスワードの照合結果が正しいか否かを判定する（Ｓ４６）。
ステップＳ４６の判定結果が肯定であれば、ステップＳ４４でＲＡＭ２１０Ｃに保存されている設定情報をバッテリーバックアップＲＡＭ２１０Ｄにも保存する（Ｓ４８）。すなわち、バッテリーバックアップＲＡＭ２１０Ｄに保存されていた旧い設定情報をＳ４４で設定された新しい設定情報に変更して保存する。そして、バッテリーバックアップＲＡＭ２１０Ｄに保存された新しい設定情報に基いてモニタ３００の画像表示動作と付加情報表示動作が行われるように信号処理部２０８を制御すると共に、光供給手段の光量を制御し（Ｓ５０）、通常処理が行われる（Ｓ５２）。
一方、ステップＳ４６の判定結果が否定であれば、ステップＳ４４でＲＡＭ２１０Ｃに保存されている設定情報をバッテリーバックアップＲＡＭ２１０Ｄに保存することなく、ステップＳ５０、Ｓ５２の処理を行う。
【００３０】
上述の動作によれば、キーボード４００から入力されたパスワードとバッテリーバックアップＲＡＭ２１０Ｄに記憶されている登録パスワードＤｐｗとが一致すれば、設定情報を変更した際には該変更された設定情報がバッテリーバックアップＲＡＭ２１０Ｄに保存されるが、バッテリーバックアップＲＡＭ２１０Ｄに記憶されている登録パスワードＤｐｗと一致するパスワードがキーボード４００から入力なければ、変更された設定情報はバッテリーバックアップＲＡＭ２１０Ｄに保存されない。したがって、バッテリーバックアップＲＡＭ２１０Ｄに記憶されている登録パスワードＤｐｗを入力することができる利用者のみが設定情報を電子内視鏡装置に保存することができる。
【００３１】
また、バッテリーバックアップＲＡＭ２１０Ｄに記憶されている登録パスワードＤｐｗと一致するパスワードを入力することで、保存されている設定情報Ｄｓｄに基づく動作が電子内視鏡装置１０００によって行われ、かつ、変更した設定情報を保存することができる。したがって、バッテリーバックアップＲＡＭ２１０Ｄに記憶されている登録パスワードＤｐｗと一致するパスワードを入力することができる利用者は、画像表示動作の設定、光供給手段の光量の設定、モニタの表示画面の表示形態の設定が変更されていても、保存されている設定情報の設定に容易に戻すことができ、従来と違って意図しない設定の変更によってとまどうことがない。
また、電子内視鏡装置に保存する設定情報の変更はバッテリーバックアップＲＡＭ２１０Ｄに記憶されている登録パスワードＤｐｗと一致するパスワードを入力できる利用者に限られるので、意図しない設定情報の変更が行われることもない。
【００３２】
上述した動作例では、システムコントロール部２１０によって特許請求の範囲のパスワード判定手段、第２制御手段、リスト表示制御手段が構成され、キーボード４００によって選択操作手段が構成されている。
なお、登録パスワードＤｐｗと設定情報Ｄｓｄを保存する記憶手段としてバッテリーバックアップＲＡＭ２１０Ｄを用いたが、これに限定されるものではなく、例えばＥＥＰＲＯＭであってもよい。
また、入力されたパスワードが登録パスワードＤｐｗと不一致の場合、ＲＯＭ２１０Ｂに保存された標準設定情報に基づいて画像表示動作の設定、光供給手段の光量の設定、モニタの表示画面の表示形態の設定を行うようにしたが、本発明はこれに限定されない。
また、モニタ３００にリスト形式で表示した利用者名情報を選択し、その選択された利用者名情報に対応する登録パスワードと、入力されたパスワードとを比較するようにしたが、モニタ３００に利用者名情報の入力を要求する表示を表示させ、この表示に応じて入力された利用者名情報に対応する登録パスワードと、入力されたパスワードとを比較するようにしてもよい。
この場合には、システムコントロール部２１０によって特許請求の範囲の利用者名入力要求表示制御手段が構成され、キーボード４００によって利用者名入力手段が構成されている。
【００３３】
また、設定情報としては上述した画像表示動作の設定、光供給手段の光量の設定、モニタの表示画面の表示形態の設定を行うものに限定されない。例えば、設定情報が、本体装置部２００のタッチパネル２０４のタッチスイッチ２０４Ｂに割り当てられる操作信号の種類を設定するタッチスイッチ設定情報を含むものであってもよい。この場合には、システムコントローラ部２１０は設定情報に含まれる上記タッチスイッチ設定情報に基いてタッチスイッチ２０４Ｂに操作信号の種類を割り当てるように構成されている。
【００３４】
また、上記パスワードが入力されない場合には、設定情報を変更した際に設定情報がＲＡＭ２１０Ｃに一時的に保存されるが、この保存された設定情報は、本体装置部２００の電源がオフとなることで消去される。
【００３５】
次に、メンテナンス時などの際にのみ設定される特殊設定モードに設定する場合の動作について説明する。
図１２に示すように、バッテリーバックアップＲＡＭ２１０Ｄには、メンテナンス用パスワードＤｍｐｗを記憶する記憶領域Ａ２０、メンテナンス時にのみ変更が可能なメンテナンス用設定情報Ｄｍｓｄ（特許請求の範囲の第２設定情報に相当）を記憶する記憶領域Ａ２１が設けられている。
メンテナンス用パスワードＤｍｐｗは保守作業を行う作業者のみが知っており、利用者には知らされていない。
メンテナンス用設定情報Ｄｍｓｄは、後述するガンマ値設定情報Ｄ２０、個別光量設定情報Ｄ２１、シャッタ速度情報Ｄ２２、色調設定情報Ｄ２３等を含んで構成されている。
【００３６】
次に、メンテナンス用設定情報の変更動作について説明する。
電子内視鏡装置１０００は、後述するようにメンテナンス用パスワードを入力することで、本体装置部２００の操作モードが特殊設定モードに切り換えられ、モニタ３００の表示画面３０４には特殊設定モードのメニュー画面が表示される。
図１３に示されているように、モニタ３００の表示画面３０４には、モニタ３００による画像表示動作のガンマ値を設定するガンマ値設定情報Ｄ２０を示す「γ  Ｌｅｖｅｌ」、前述した光量段階設定情報Ｄ３によって設定される複数段階の光量を段階毎に設定する個別光量設定情報Ｄ２１を示す「ＤｉａｐｈｒａｇｍＳｔｅｐ  Ｔａｂｌｅ」、ＣＣＤ１１０による画像取り込み動作時間を設定するシャッタ速度情報Ｄ２２を示す「Ｓｈｕｔｔｅｒ  Ｓｐｅｅｄ」、色調の度合いを設定する色調設定情報Ｄ２３を示す「Ｃｏｌｏｒ  Ｓｔｅｐ」がそれぞれ表示されるようになっている。
【００３７】
図１３の例では、ガンマ値設定情報Ｄ２０は数値で設定できるようになっている。また、個別光量設定情報Ｄ２１は、段階光量設定情報Ｄ３の＋５から−５までの１１種類の段階毎に、段階間における光量の差を所定のステップ数で設定するようようになっている。つまり、段階＋５と段階＋４間の光量の差のステップ数は「１０」に、段階＋４と段階＋３間の光量の差のステップ数は「０５」にといったように段階間の光量の差をそれぞれ個別に設定できるようになっている。
また、シャッタ速度情報Ｄ２２は数値で設定できるようになっている。また、色調設定情報Ｄ２３は「Ｒｅｄ」（赤色）、「Ｂｌｕｅ」（青色）、「Ｇｒｅｅｎ」（緑色）の３色毎に数値で設定できるようになっている。
これらガンマ値設定情報Ｄ２０、個別光量設定情報Ｄ２１、シャッタ速度情報Ｄ２２、色調設定情報Ｄ２３等を含むメンテナンス用設定情報Ｄｍｓｄ（特許請求の範囲の第２設定情報Ｄｓｄ２に相当）は、保守作業等の際にのみ設定される設定情報であり、通常の操作者が不用意に変更することが好ましくない設定情報である。
【００３８】
次に、図１４のフローチャートを参照して特殊設定モードにおけるメンテナンス用設定情報の変更動作について説明する。
まず、本体装置部２００のメインスイッチ（不図示）をオンして電子内視鏡装置１０００の電源を投入する（Ｓ１００）。
システムコントロール部２１０のＣＰＵ２１０Ａは、ＲＡＭ２１０Ｃ上において変数ＰＷに“０”を代入して初期設定する（Ｓ１０２）。
そして、先に説明した図６のフローチャートのような処理が行われ通常処理が行われる（Ｓ１０４）。
そして、システムコントローラ部２１０は、キーボード４００からキー入力による割り込みがなされたか否かを判定し（Ｓ１０６）、この判定結果が否定であれば通常処理を継続する（Ｓ１２４）。キー入力による割り込みがなされた場合には、そのキー入力がメンテナンス表示対応のキー入力であるか否かを判定する（Ｓ１０８）。この判定結果が否定ならばステップＳ１２４に移行して通常処理を継続する。
ステップＳ１０８の判定結果が肯定ならば、システムコントロール部２１０は、モニタ３００にメンテナンス用パスワードの入力を要求する画面を表示する（Ｓ１１０）。
次いで、作業員がメンテナンス用パスワードをキーボード４００からキー操作により入力すると、システムコントローラ２１０は、入力されたパスワードと、バッテリーバックアップＲＡＭ２１０Ｄに記憶されているメンテナンス用パスワードＤｍｐｗとを比較する（Ｓ１１２）。比較結果が正しい（一致する）場合には、モニタ３００に図１２で示した特殊設定モードのメニュー画面を表示させて特殊設定モードに移行する（Ｓ１１６）。
そして、メンテナンス用設定情報Ｄｍｓｄを変更する場合には、フロントパネル２０４の操作に基づいてメンテナンス用設定情報Ｄｍｓｄを設定（変更）し（Ｓ１１８）、設定されたメンテナンス用設定情報Ｄｍｓｄを、バッテリーバックアップＲＡＭ２１０Ｄに保存する（Ｓ１２０）。
そして、バッテリーバックアップＲＡＭ２１０Ｄに保存されているメンテナンス用設定情報Ｄｍｓｄに基づいて動作が行われるようにモニタ３００の画像表示動作と光供給手段の光量を制御する通常処理を行う（Ｓ１２２、Ｓ１２４）。
一方、ステップＳ１１２の判定結果が否定の場合には、メンテナンス用パスワードの再入力を要求する画面表示を行う（Ｓ１１４、Ｓ１１０）。また、Ｓ１１２で処理のキャンセルを示すキー（例えばエスケープキー）が操作された場合には、先に述べた通常処理を継続する（Ｓ１２４）。
【００３９】
上述の動作によれば、メンテナンス表示対応のキー入力を行い、メンテナンス用パスワードＤｍｐｗと一致するパスワードを入力すれば、電子内視鏡装置１０００の操作モードが特殊設定モードに速やかに切り換えられる。このため、メンテナンス表示対応のキー入力の内容と、メンテナンス用パスワードＤｍｐｗとを知っている特定の操作者（保守作業員等）以外は、特殊設定モードに切り換えることができず、通常の操作者がメンテナンス用設定情報Ｄｍｓｄの変更を行うことが防止される。また、メンテナンス表示対応のキー入力とメンテナンス用パスワードＤｍｐｗと一致するパスワードをキー入力するだけで操作モードを特殊設定モードに速やかに切り換えることができるので、従来と違ってモード切り換え作業に手間がかからないという利点がある。
【００４０】
なお、上述の動作例では、メンテナンス用パスワードＤｍｐｗとメンテナンス用設定情報Ｄｍｓｄを保存する記憶手段としてバッテリーバックアップＲＡＭ２１０Ｄを用いたが、これに限定されるものではなく、例えばＥＥＰＲＯＭであってもよい。
また、上述の動作例においては、システムコントロール部２１０によって特許請求の範囲のパスワード判定手段、モード制御手段、メンテナンス用パスワード入力要求表示制御手段が構成されている。また、キーボード４００によって特許請求の範囲のパスワード入力手段、操作入力手段が構成されている。
【００４１】
なお、上述した第１の実施の形態では、図１１のフローチャートの動作においてＳ４６でパスワードの照合結果が正しいと判定された場合には、バッテリーバックアップＲＡＭ２１０Ｄに保存されていた旧い設定情報が新しい設定情報によって書き換えられてしまうため、旧い設定情報の保存ができない。
次に説明する第２の実施の形態では、図１１のフローチャートの動作の一部を変更することで、新しい設定情報に基いて設定変更を行う一方、バッテリーバックアップＲＡＭ２１０Ｄの旧い設定情報を新しい設定情報によって書き換えるか、そのまま残しておくかを選択可能とし、旧い設定情報の保存を可能としている。
【００４２】
図１５は本発明の電子内視鏡装置の第２の実施の形態における設定変更時の表示画面の例を示す説明図、図１６は第２の実施の形態における設定情報の変更動作を示すフローチャートである。なお、図１５において図５と同一部分には同一符号を付して説明を省略する。
【００４３】
この実施の形態では、システムコントロール部２１０のＣＰＵ２１０Ａは、任意の記憶手段、例えばＲＡＭ２１０Ｃに変数ＭＥを設定するようになっている。
この変数ＭＥは、新しく設定した設定情報をバッテリーバックアップＲＡＭ２１０Ｄに保存するか（旧い設定情報を新しい設定情報に書き換えるか）否かの選択入力を促すためのメッセージを表示画面に表示させるか、否かを設定するための変数である。変数ＭＥが“０”でメッセージ不表示、“１”でメッセージ表示を示している。
【００４４】
図１５に示されているように、設定変更時の表示画面には、画像強調設定情報各設定情報Ｄ１、色バランス設定情報Ｄ２、光量段階設定情報Ｄ３に加えて、メッセージの表示の有無を設定するメッセージ表示有無情報Ｄ４を示す「Ｍｅｓｓａｇｅ」が表示されるようになっている。このメッセージ表示有無情報Ｄ４は、Ｏｎ（１：メッセージ表示あり）とＯｆｆ（０：メッセージ表示なし）の何れか一方を選択して設定するようになっている。
メッセージ表示有無情報Ｄ４のＯｎとＯｆｆの設定操作は、本体装置部２００のフロントパネル２０４のタッチスイッチを操作することによって設定され、その設定内容がシステムコントロール部２１０によって例えばＲＡＭ２１０Ｃに記憶される。
なお、この第２の実施の形態においても、フロントパネル２０４での操作と同様の操作をキーボード４００で行うことができるように構成されていることはもちろんである。
【００４５】
次に、図１６のフローチャートに基いて動作説明を行う。
なお、図１６に示されているＳ６０、Ｓ６２、Ｓ６４、Ｓ６６、Ｓ６８、Ｓ７０、Ｓ７２の処理は、図１１に一点鎖線で囲ったＳ４４、Ｓ４６、Ｓ４８、Ｓ５０、Ｓ５２を含む設定変更処理Ｓ５４と置換される処理である。
したがって、図１１におけるＳ４０、Ｓ４２の処理は先に説明したとおりであるため説明を省略する。
まず、本体装置部２００のフロントパネル２０４のタッチスイッチ２０４Ｂが操作され、モニタ３００に図５に示す設定変更画面が表示される通常設定モードに移行し、この通常設定モードによって設定情報が任意に変更され、変更された設定情報がＲＡＭ２１０Ｃに一時的に保存される（Ｓ６０）。
ここで、システムコントロール部２１０は、変数ＰＷが“１”か否か、すなわちパスワードの照合結果が正しいか否かを判定する（Ｓ６２）。
ステップＳ６２の判定結果が肯定であれば、変数ＭＥが“１”か否かか、すなわちメッセージ表示有無情報Ｄ４の表示の有無を判定する（Ｓ６４）。
ステップＳ６４の判定結果が肯定ならば、「この設定を保存しますか？」というメッセージをモニタ３００の画面に表示させ、設定の保存の有無の判定入力を促す（Ｓ６６）。ここで設定保存を行う旨の操作入力を本体装置部２００のフロントパネル２０４のタッチスイッチ２０４Ｂによって行った場合には（Ｓ６６で肯定）、ＲＡＭ２１０Ｃに保存されている設定情報をバッテリーバックアップＲＡＭ２１０Ｄに保存する（Ｓ６８）。そして、バッテリーバックアップＲＡＭ２１０Ｄに保存された新しい設定情報に基いてモニタ３００の画像表示動作と付加情報表示動作が行われるように信号処理部２０８の制御を行うと共に、光供給手段の光量を制御する設定変更処理を行い（Ｓ７０）、通常処理が行われる（Ｓ７２）。
ステップＳ６６での判定結果が否定ならば、すなわち設定保存を行わない旨の操作入力を本体装置部２００のフロントパネル２０４のタッチスイッチ２０４Ｂによって行った場合には、ステップＳ６０でＲＡＭ２１０Ｃに保存されている設定情報をバッテリーバックアップＲＡＭ２１０Ｄに保存することなく、ＲＡＭ２１０Ｃに保存されている設定情報に基いて設定変更処理を行い（Ｓ７０）、通常処理が行われる（Ｓ７２）。
また、ステップＳ６２の判定結果が否定ならば、ステップＳ６０でＲＡＭ２１０Ｃに保存されている設定情報をバッテリーバックアップＲＡＭ２１０Ｄに保存することなく、ＲＡＭ２１０Ｃに保存されている設定情報に基いて設定変更処理を行い（Ｓ７０）、通常処理が行われる（Ｓ７２）。
【００４６】
上述の動作によれば、新しい設定情報に基いて設定変更を行う一方、バッテリーバックアップＲＡＭ２１０Ｄの旧い設定情報を新しい設定情報によって書き換えるか、そのまま残しておくかを利用者が選択することができ、必要に応じて旧い設定情報の保存を可能とすることができるという利点がある。
【００４７】
なお、第２の実施の形態においてシステムコントロール部２１０は第２制御手段および登録選択表示制御手段を構成し、タッチスイッチ２０４Ｂは登録選択操作手段を構成している。
【００４８】
上述した図１６のフローチャートの動作例では、Ｓ６６で設定の保存を選択しなかった場合には、ＲＡＭ２１０Ｃに保存されている設定情報、すなわち利用者がそのときに変更した設定情報に基いて設定変更処理と通常処理が行われる（Ｓ７０、Ｓ７２）。
このようにしていったん設定変更処理が行なわれた後、次に説明する図１７のフローチャートに示されているように、所定操作（以下、設定リロード操作という）を行うことによって登録パスワードに対応して既に登録されている設定情報を再設定（リロード）することができればさらに便利である。
【００４９】
図１７は第３の実施の形態における設定情報の再設定動作を示すフローチャートである。
図１７のフローチャートに基いて動作説明を行う。
なお、図１７に示されているＳ８２、Ｓ８４、Ｓ８６、Ｓ８８、Ｓ９０、Ｓ９２、Ｓ９４、Ｓ９６の処理は、図１６に一点鎖線で囲ったＳ６６、Ｓ６８、Ｓ７０、Ｓ７２を含む処理Ｓ６５と置換される処理である。
また、図１７のフローチャートには示されていないが、Ｓ８０の処理が開始される前に、図６のフローチャートのＳ２６の処理において登録パスワードＤｐｗに一致するパスワードが既に入力されており、変数ＰＷは“１”に設定されている。そして、上記登録パスワードＤｐｗに対応する設定情報ＤｓｄがバッテリバックアップＲＡＭ２１０Ｄに既に登録されている。
【００５０】
まず、図１６のＳ６０、Ｓ６２、Ｓ６４と同様の処理（各種設定変更処理）が行なわれる（Ｓ８０）。なお、変数ＭＥは“１”に設定されているものとする。
次に、「この設定を保存しますか？」というメッセージをモニタ３００の画面に表示させ、設定の保存の有無の判定入力を促す（Ｓ８２）。
ここで、設定保存を行う旨の操作入力を本体装置部２００のフロントパネル２０４のタッチスイッチ２０４Ｂによって行った場合には（Ｓ８２で肯定）、ＲＡＭ２１０Ｃに保存されている設定情報をバッテリーバックアップＲＡＭ２１０Ｄに保存し（Ｓ８４）、ＲＡＭ２１０Ｃに保存されている設定情報（すなわちバッテリーバックアップＲＡＭ２１０Ｄに保存された新しい設定情報と同じ設定情報）に基いてモニタ３００の画像表示動作と付加情報表示動作が行われるように信号処理部２０８の制御を行うと共に、光供給手段の光量を制御する設定変更処理を行い（Ｓ８６）、通常処理に移行する（Ｓ８８）。
一方、ステップＳ８２での判定結果が否定ならば、すなわち設定保存を行わない旨の操作入力を本体装置部２００のフロントパネル２０４のタッチスイッチ２０４Ｂによって行った場合には、ステップＳ８０でＲＡＭ２１０Ｃに保存されている設定情報をバッテリーバックアップＲＡＭ２１０Ｄに保存することなく、ＲＡＭ２１０Ｃに保存されている設定情報に基いて設定変更処理を行い（Ｓ８６）、通常処理に移行する（Ｓ８８）。
【００５１】
そして、Ｓ８８の通常処理において、システムコントローラ部２１０は、予めキーボード４００に割り当てられた設定リロード操作用のキー（再設定操作手段に相当）が操作されてキー入力による割り込みがなされたか否かを判定し、この判定結果が否定であれば通常処理を継続する。
なお、上記設定リロード操作用のキーの代わりに内視鏡部１００の操作部１０２に操作用のスイッチ（図１７ではスコープのボタンと記す）を設け、システムコントローラ部２１０がこの操作用のスイッチの操作信号を割り込み信号として扱うようにしてもよい。また、従来から操作部１０２には上述したような操作用のスイッチが設けられており、この操作用のスイッチの操作に応じてシステムコントローラ部２１０がモニタ３００の画像を静止させたり、外部に接続されたビデオデッキの録画動作を開始させるなどの制御を行うようになっている。
一方、この判定結果が肯定であれば（Ｓ９０）、システムコントローラ２１０は、図６のフローチャートの動作で既に入力された登録パスワードＤｐｗに対応する設定情報ＤｓｄをバッテリバックアップＲＡＭ２１０Ｄから読み出す（Ｓ９２）。
そして、読み出した設定情報Ｄｓｄに基いてモニタ３００の画像表示動作と付加情報表示動作が行われるように信号処理部２０８を制御すると共に、光供給手段の光量を制御し（Ｓ９４）、通常処理を行う（Ｓ９６）。
【００５２】
上述した第３の実施の形態によれば、設定リロード操作を行うことによって利用者が既に登録していた設定情報を再設定することができ、使い勝手が向上するという効果を奏することができる。
また、第３の実施の形態においてもシステムコントロール部２１０が第２制御手段を構成している。
【００５３】
なお、上述した第１乃至第３の実施の形態では、設定情報Ｄｓｄがモニタ３００の画像表示動作の制御、光源手段の光量、モニタの表示画面の表示形態に関するものであり、メンテナンス用設定情報Ｄｍｓｄがモニタ３００の画像表示動作の制御と光源手段の光量に関するものであった。
しかしながら、本発明はこれらに限定されるものではなく、設定情報、メンテナンス用設定情報としては上述した動作以外の動作に関するものであってもよい。
【００５４】
【発明の効果】
以上の説明で明らかなように本発明の電子内視鏡装置によれば、パスワード判定手段は、パスワード入力手段から入力されたパスワードと記憶手段に記憶されている登録パスワードとを比較して一致するか否かを判定するように構成され、第２制御手段は、パスワード判定手段が肯定の判定をしたときに、パスワードと一致した登録パスワードに対応する設定情報を第１制御手段に設定するように構成されている。
そのため、パスワード入力手段によって入力されたパスワードが記憶手段に記憶されている登録パスワードと一致する場合には記憶手段に保存されている設定情報に基づく画像表示動作が表示手段によって行われる。このため、画像表示動作の設定が変更されていても、その設定内容を記憶手段に保存されている設定情報に基づいた設定に容易に戻すことができ、従来と違って意図しない画像設定の変更によってとまどうことがなく、操作を容易に行うことができる。
【００５５】
また、本発明の電子内視鏡装置によれば、パスワード判定手段はパスワード入力手段から入力されたパスワードと記憶手段に記憶されている前記メンテナンス用パスワードとを比較して一致するか否かを判定するように構成され、モード制御手段はパスワード入力手段によるパスワードのパスワード判定手段への入力が行われないとき、または、パスワード判定手段が否定の判定をしたときに操作モードを通常設定モードに切り換えるように構成され、パスワード判定手段が肯定の判定をしたときに操作モードを前記特殊設定モードに切り換えるように構成されている。
そのため、パスワード入力手段によって入力されたパスワードが記憶手段に記憶されているメンテナンス用パスワードと一致する場合には電子内視鏡装置の操作モードが特殊設定モードに切り換えられる。このため、メンテナンス用パスワードと一致するパスワードを入力しない限り操作モードを特殊設定モードに切り換えることができず、メンテナンス用パスワードと一致するパスワードを入力すれば操作モードを特殊設定モードに速やかに切り換えることができる。したがって、一般の操作者による操作モードの誤切り換えを防止し、かつ、保守作業時には操作モードを速やかに切り換えることが可能となり、保守作業時の操作を容易にすることができる。
【図面の簡単な説明】
【図１】本発明の第１の実施の形態の電子内視鏡装置の全体構成図である。
【図２】本発明の電子内視鏡装置の第１の実施の形態の構成を示すブロック図である。
【図３】システムコントロール部の構成を示すブロック図である。
【図４】バッテリーバックアップＲＡＭの記憶内容を示す説明図である。
【図５】設定変更時の表示画面の例を示す説明図である。
【図６】通常時における動作例を説明するフローチャートである。
【図７】標準設定情報が設定された時の表示画面の例を示す説明図である。
【図８】利用者名情報がリスト形式で表示された表示画面の例を示す説明図である。
【図９】パスワード入力要求画面を示す説明図である。
【図１０】登録されていた設定情報が設定された時の表示画面の例を示す説明図である。
【図１１】設定情報の変更動作を示すフローチャートである。
【図１２】バッテリーバックアップＲＡＭの記憶内容を示す説明図である。
【図１３】特殊設定モードにおける表示画面の例を示す説明図である。
【図１４】特殊設定モードにおけるメンテナンス用設定情報の変更動作を示すフローチャートである。
【図１５】本発明の電子内視鏡装置の第２の実施の形態における設定変更時の表示画面の例を示す説明図である。
【図１６】第２の実施の形態における設定情報の変更動作を示すフローチャートである。
【図１７】第３の実施の形態における設定情報の再設定動作を示すフローチャートである。
【符号の説明】
１０００  電子内視鏡装置
１００  内視鏡部
２００  本体装置部
２１０  システムコントロール部（第１制御手段、第２制御手段、設定手段、パスワード判定手段、リスト表示制御手段、利用者名入力要求表示制御手段、モード制御手段、メンテナンス用パスワード入力要求表示制御手段）
３００  モニタ（表示手段）
４００  キーボード（パスワード入力手段、利用者名入力手段、選択操作手段、操作入力手段）
Ｄｓｄ  設定情報（第１設定情報）
Ｄｍｓｄ  メンテナンス用設定情報（第２設定情報）
【図１】
0004390311.tif 000002
【図２】
0004390311.tif 000003
【図３】
0004390311.tif 000004
【図４】
0004390311.tif 000005
【図５】
0004390311.tif 000006
【図６】
0004390311.tif 000007
【図７】
0004390311.tif 000008
【図８】
0004390311.tif 000009
【図９】
0004390311.tif 000010
【図１０】
0004390311.tif 000011
【図１１】
0004390311.tif 000012
【図１２】
0004390311.tif 000013
【図１３】
0004390311.tif 000014
【図１４】
0004390311.tif 000015
【図１５】
0004390311.tif 000016
【図１６】
0004390311.tif 000017
【図１７】
0004390311.tif 000018